(57)【特許請求の範囲】
【請求項１】
動作を制限する制限部と、
前記制限を解除するための認証処理を行う認証処理部とを有し、
前記認証処理部は、
前記認証処理の認証方法を複数の認証方法の中から選択する選択部を有し、
前記選択部は、
着信回数が所定回数に達した場合、前記所定回数に達する前に選択されている認証方法よりも認証レベルの高い認証方法を選択する
電子機器。
【請求項２】
動作を制限する制限部と、
前記制限を解除するための認証処理を行う認証処理部とを有し、
前記認証処理部は、
前記認証処理の認証方法を複数の認証方法の中から選択する選択部を有し、
前記選択部は、
未読の電子メール数が所定数に達した場合、前記所定数に達する前に選択されている認証方法よりも認証レベルの高い認証方法を選択する
電子機器。
【請求項３】
電子機器の制御方法であって、
動作を制限する第１のステップと、
前記制限を解除するための認証処理を行う第２のステップとを有し、
前記第２のステップにおいては、
着信回数が所定回数に達した場合、前記所定回数に達する前に選択されている認証方法よりも認証レベルの高い認証方法を選択する
電子機器の制御方法。
【請求項４】
電子機器の制御方法であって、
動作を制限する第１のステップと、
前記制限を解除するための認証処理を行う第２のステップとを有し、
前記第２のステップにおいては、
未読の電子メール数が所定数に達した場合、前記所定数に達する前に選択されている認証方法よりも認証レベルの高い認証方法を選択する
電子機器の制御方法。
【請求項５】
電子機器の処理を行うプログラムであって、
動作を制限する第１の処理と、
前記制限を解除するための認証処理を行う第２の処理とを有し、
前記第２の処理においては、
着信回数が所定回数に達した場合、前記所定回数に達する前に選択されている認証方法よりも認証レベルの高い認証方法を選択する
ことをコンピュータに実行させるプログラム。
【請求項６】
電子機器の処理を行うプログラムであって、
動作を制限する第１の処理と、
前記制限を解除するための認証処理を行う第２の処理とを有し、
前記第２の処理においては、
未読の電子メール数が所定数に達した場合、前記所定数に達する前に選択されている認証方法よりも認証レベルの高い認証方法を選択する
ことをコンピュータに実行させるプログラム。
【発明の詳細な説明】
【技術分野】
【０００１】
本発明は、キー操作を制限し、認証結果に応じてキー操作の制限を解除する機能を有する携帯電話等の電子機器、電子機器の制御方法、及びプログラムに関するものである。
【背景技術】
【０００２】
近年の携帯電話機等は、紛失や盗難等の事態に対処するためのセキュリティ機能として、一定時間の経過やその他の設定条件によってパスワードが掛かり、キー操作が制限されるオートロック機能を有するものがある（特許文献１〜４を参照）。このオートロック機能により、正しいパスワードを入力しない限り、通話や電子メール等の諸機能を使用することができないようになっている。
【特許文献１】特開平９−３４５７７号公報
【特許文献２】特開２００６−２９４０４８号公報
【特許文献３】特開２０００−２５９５６８号公報
【特許文献４】特許第３０１２５９９号
【発明の開示】
【発明が解決しようとする課題】
【０００３】
たとえば特許文献１，２に記載された技術のように、一定時間の経過によりパスワードを掛けるオートロック機能が開示されているが、パスワードは「００００」〜「９９９９」の４桁で構成される１０,０００通りのものが広く普及しており、１入力に２秒費やすとしても２０,０００秒、すなわち５時間程度でパスワードが解除される可能性がある。
したがって、特許文献１，２に記載された技術のようなオートロック機能では、携帯電話機を５時間程度紛失しただけでパスワードを解除される恐れがあり、セキュリティ的に不安である。
また、引用文献３に記載された技術のように、入力内容とそのタイミングでセキュリティレベルを向上させたものや、引用文献４に記載された技術のように、キーの位置を考慮した誤動作防止方法が開示されているが、慣れた従来の４桁パスワード入力等の利便性を考慮したものではない。
【０００４】
本発明は、利便性を損なわずにセキュリティを強化できる電子機器、電子機器の制御方法、及びプログラムを提供することにある。
【課題を解決するための手段】
【０００５】
本発明の第１の観点の電子機器は、動作を制限する制限部と、前記制限を解除するための認証処理を行う認証処理部とを有し、前記認証処理部は、前記認証処理の認証方法を複数の認証方法の中から選択する選択部を有し、前記選択部は、着信回数が所定回数に達した場合、前記所定回数に達する前に選択されている認証方法よりも認証レベルの高い認証方法を選択する。
【０００６】
本発明の第２の観点の電子機器は、動作を制限する制限部と、前記制限を解除するための認証処理を行う認証処理部とを有し、前記認証処理部は、前記認証処理の認証方法を複数の認証方法の中から選択する選択部を有し、前記選択部は、未読の電子メール数が所定数に達した場合、前記所定数に達する前に選択されている認証方法よりも認証レベルの高い認証方法を選択する。
【００１４】
本発明の第３の観点の電子機器の制御方法は、電子機器の制御方法であって、動作を制限する第１のステップと、前記制限を解除するための認証処理を行う第２のステップとを有し、前記第２のステップにおいては、着信回数が所定回数に達した場合、前記所定回数に達する前に選択されている認証方法よりも認証レベルの高い認証方法を選択する。
本発明の第４の観点の電子機器の制御方法は、電子機器の制御方法であって、動作を制限する第１のステップと、前記制限を解除するための認証処理を行う第２のステップとを有し、前記第２のステップにおいては、未読の電子メール数が所定数に達した場合、前記所定数に達する前に選択されている認証方法よりも認証レベルの高い認証方法を選択する。
【００１５】
本発明の第５の観点のプログラムは、電子機器の処理を行うプログラムであって、動作を制限する第１の処理と、前記制限を解除するための認証処理を行う第２の処理とを有し、前記第２の処理においては、着信回数が所定回数に達した場合、前記所定回数に達する前に選択されている認証方法よりも認証レベルの高い認証方法を選択することをコンピュータに実行させる。
本発明の第６の観点のプログラムは、電子機器の処理を行うプログラムであって、動作を制限する第１の処理と、前記制限を解除するための認証処理を行う第２の処理とを有し、前記第２の処理においては、未読の電子メール数が所定数に達した場合、前記所定数に達する前に選択されている認証方法よりも認証レベルの高い認証方法を選択することをコンピュータに実行させる。
【発明の効果】
【００１６】
本発明によれば、利便性を損なわずにセキュリティの強化が可能な電子機器、電子機器の制御方法、及びプログラムを提供できる。
【発明を実施するための最良の形態】
【００１７】
以下、本発明の実施形態を図面に関連付けて説明する。
【００１８】
本実施形態では、本発明に係る携帯電子機器に携帯電話機を一例として適用させて説明を行う。
図１は、実施形態に係る携帯電子機器の内部構成例を示すブロック図であり、図２は、図１の内部構成例による携帯電子機器の外観を示す一例の図である。また、図３は、本実施形態に係る表示部の表示例を示す図である。
図１に示すように携帯電子機器としての携帯電話機１０は、通信部１１、制御部（ＣＰＵ）１２、記憶部１３、音声処理部１４、表示部１５、（キー）操作部１６、タイマ１７、および指紋センサ部１８を有する。
そして、制御部１２は、主制御部１２１、認証処理部としての選択部１２２、制限部１２３、認証処理部１２４、および解除部１２５で構成され、認証処理部１２４は、パスワード認証部１２４１、音声認証部１２４２、および指紋認証部１２４３で構成されている。音声処理部１４は、スピーカ（ＳＰ）１４１、およびマイクロフォン（ＭＩＣ）１４２で構成され、指紋センサ部１８は、センサ１８１、および画像生成部１８２で構成されている。
【００１９】
携帯電話機１０は、基地局と通信し、ネットワークを介して行われる音声通話、電子メールの作成とその送受信、ＷＥＢサイトやコンテンツデータ（たとえば動画、画像）の閲覧等を行う機能を有する。
携帯電話機１０は、セキュリティ機能としてユーザ（たとえば当該携帯電話機の所有者）以外のキー操作を制限（ロック）するオートロック機能を有する。このオートロック機能は、セキュリティ（認証）レベルを２段階で切り替え可能で、作動時には、段階的にセキュリティレベルが高くなるように認証方法を選択してキー操作を制限し、解除時には、選択した認証方法に応じた認証を行い、認証結果に応じてキー操作の制限を解除するものである。
具体的には、携帯電話機１０は、１段階目である通常のセキュリティレベルでは４桁の数字によるパスワード認証を使用し（通常セキュリティモード）、２段階目である高セキュリティレベルでは８桁の数字によるパスワード認証、生体認証としての音声波形によりユーザを判別する音声認証、あるいは指紋による指紋認証を使用する（高セキュリティモード）。
携帯電話機１０は、所定の条件（時間、電子メールの未読数、電話の着信回数等）に達した場合、高セキュリティモードに移行する。
【００２０】
なお、８桁のパスワード認証、音声認証および指紋認証は、４桁のパスワード認証よりもセキュリティレベルが高いものとする。
また、上述のパスワードは文字や記号であってもよく、暗号化の有無、桁数等は特に限定されない。また、これらの認証方法、セキュリティモード切り替えの条件等は一例であって、本実施形態に限定されない。
オートロック機能を有効にするか否かの設定、有効であればオートロックを起動するタイミング（アプリケーションが終了し待ち受け画面に切り替わった時、通話終了時など）の設定、オートロック作動までの時間設定、オートロック機能の有効時には高セキュリティモードに移行するか否かの設定、有効であれば高セキュリティモードへの移行条件（時間、電子メールの未読数、電話の着信回数等）の選択、高セキュリティモードでの認証方法の選択、パスワードの設定、音声認証に使用する音声データおよび指紋認証に使用する指紋データ等は好適に設定可能である。
【００２１】
通信部１１は、通話等の音声データ、電子メール等の文字情報、動画像データ等のデータ通信を接続されている基地局との間で無線通信を行う。詳細には通信部１１は、受信時にはアンテナを介して通信される電波信号に復調等の処理を施して制御部１２に出力し、送信時には制御部１２が出力した信号に変調等の処理を施しアンテナを介して送出する。
【００２２】
制御部１２は、携帯電話機１０の全般的な動作を統括的に制御する。すなわち、制御部１２は、携帯電話機１０の各種処理（基地局と通信しネットワークを介して行われる音声通話、電子メールの作成とその送受信、ＷＥＢサイトやコンテンツデータの閲覧等の制御）が操作部１６の操作に応じて適切な手順で実行されるように、各構成要素の動作（通信部１１、記憶部１３、音声処理部１４，表示部１５、操作部１６、タイマ１７、指紋センサ部１８）を制御する。
制御部１２は、記憶部１３に格納されたプログラム（オペレーティングシステム、アプリケーションプログラム等）に基づいて処理を実行するコンピュータ（マイクロプロセッサ）を備えており、このプログラムにおいて指示された手順に従って上述した各種処理を実行する。すなわち、制御部１２は、記憶部１３に格納されたオペレーションシステムやアプリケーションプログラムから命令コードを順次読み込んで処理を実行する。
【００２３】
主制御部１２１は、主に、記憶部１３、音声処理部１４、表示部１５、操作部１６、タイマ１７、指紋センサ部１８、選択部１２２、制限部１２３、認証処理部１２４、および解除部１２５の制御を行う。また、主制御部１２１は、各構成要素１２２〜１２５と記憶部１３間における各種データのやり取りの仲介を行う。
主制御部１２１は、たとえば使用中のアプリケーションが終了したタイミングで、記憶部１３に格納されている設定を読み出し、その設定に従ってオートロック機能を有効にするか否かを判断し、オートロック機能が有効の場合は、タイマ１７を作動させる。なお、上述のオートロック機能を有効にするか否かを判断するタイミングは、通話終了時や表示部１５の表示画面が待ち受け画面（図３（Ａ）を参照）に切り替わったタイミング等で行われ、実施形態に限定されず、好適に設定可能である。
また、主制御部１２１は、記憶部１３に格納されている設定を読み出し、その設定に従って通常セキュリティモードから高セキュリティモードに移行するか否かを判断し、高セキュリティモードに移行する場合は、設定に応じて設定時間が経過したか否かの判別、電子メール未読数の判別、電話の着信回数の判別等を行い、高セキュリティモードに移行しない場合は、通常セキュリティレベルを維持する。
【００２４】
選択部１２２は、複数の認証方法のうちから一つを選択する。詳細には、選択部１２２は、主制御部１２１がオートロック機能を有効にすると判断した場合、通常のセキュリティモードでは４桁のパスワード認証を行うパスワード認証部１２４１を選択する。
選択部１２２は、主制御部１２１が高セキュリティモードに移行すると判断した場合、記憶部１３に格納されている設定を読み出し、その設定にしたがってパスワード認証部１２４１、音声認証部１２４２、および指紋認証部１２４３のうちから一つを選択する。
【００２５】
制限部１２３は、設定時間、電子メールの未読数、または電話の着信回数等が設定条件に達するとキー操作を認証の入力に必要なもの（たとえば決定キー１６２、数字キー１６３、文字キー１６４）のみに制限する。すなわち、制限部１２３は、認証に必要のないキーが押下され、その操作に対応した信号が主制御部１２１に入力されても、その入力を無効にする。これにより、オートロックが作動し、キー操作の制限が解除されるまで、通話、電子メール等の諸機能が実行できない。
制限部１２３は、解除部１２５から解除信号を受けると、キー操作の制限を解除する。
【００２６】
認証処理部１２４は、制限部１２３によるキー操作の制限を選択部１２２が選択した認証方法に応じて認証する。
【００２７】
パスワード認証部１２４１は、あらかじめ記憶部１３に記憶されているパスワードと操作部１６によって入力されたパスワードが一致するか否かを判断し、判断結果が一致したときのみ、キー操作の制限を解除する解除信号を解除部１２５に出力する。
【００２８】
音声認証部１２４２は、音声信号の波形等を解析し、あらかじめ記憶部１３に記憶されているユーザの音声データがマイクロフォン１４２に入力された音声データと一致するか否かを判断し、判断結果が一致したときのみ、キー操作の制限を解除する解除信号を解除部１２５に出力する。
【００２９】
指紋認証部１２４３は、指紋センサ部１８のセンサ１８１が指紋をスキャンし、画像生成部１８２が生成した指紋の画像データ等を解析し、あらかじめ記憶部１３に記憶されているユーザの指紋データが指紋センサ部１８に入力された指紋データと一致するか否かを判断し、判断結果が一致したときのみ、キー操作の制限を解除する解除信号を解除部１２５に出力する。
【００３０】
解除部１２５は、認証処理部１２４のパスワード認証部１２４１、音声認証部１２４２、または指紋認証部１２４３から解除信号を受けると、制限部１２３が行っているキー操作の制限を解除する。これにより、オートロックが解除される。
【００３１】
なお、制御部１２内部の構成要素１２１〜１２５が持つ機能は、記憶部１３に記憶されたそれぞれのプログラムを制御部１２で実行することにより達成されるものであり、制御部１２内において実体的に他の構成要素と区分され内蔵されたもののみを指すのではなく、あくまで説明の簡略化のために各部処理を分けて表現したものである。
【００３２】
記憶部１３は、たとえば不揮発性の記憶デバイス（フラッシュメモリ）やランダムアクセス可能な記憶デバイス（ＳＲＡＭ、ＤＲＡＭ）等で構成され、制御部１２での処理に利用される各種のデータを記憶する。
記憶部１３が記憶するデータには、オートロック機能を有効にするか否かの設定、有効であればオートロックを起動するタイミング（待ち受け画面に切り替わった時、通話終了時など）の設定、オートロック作動までの時間設定、オートロック機能の有効時には高セキュリティモードに移行するか否かの設定、有効であれば高セキュリティモードへの移行条件（時間、電子メールの未読数、電話の着信回数等）の選択、高セキュリティモードでの認証方法の選択、パスワードの設定、音声認証に使用する音声データおよび指紋認証に使用する指紋データ、制御部１２の出力結果、制御部１２が実行するアプリケーションプログラム、プログラムの処理過程で利用される一時的なデータ等が含まれる。また、データには上記の他、使用者の個人情報、通話相手の名前や電話番号、電子メール等の文字情報、電話番号や個人データ等を管理するアドレス帳、着信音（着信メロディ）、音声メッセージ等の音声データ、画像データ等が含まれる。
【００３３】
音声処理部１４は、スピーカ１４１から出力された音声信号やマイクロフォン１４２において入力された音声信号の処理を行う。すなわち、音声処理部１４は、マイクロフォン１４２から入力された音声を増幅し、アナログ・デジタル変換を行い、さらに符号化等の処理を施し、デジタルの音声データに変換して制御部１２（主制御部１２１）に出力する。
また、音声処理部１４は、制御部１２から供給された音声データに符号化、デジタル・アナログ変換、増幅等の信号処理を施し、アナログの音声信号に変換した上でスピーカ１４１に出力する。
スピーカ１４１は、音声処理部１４から入力された音声信号を放音する。
マイクロフォン１４２は、音声通話や音声認証時に使用され、入力された音声信号を音声処理部１４に出力する。
【００３４】
表示部１５は、たとえば液晶表示パネルや有機ＥＬ（Electro-Luminescence）パネル等の表示デバイスで構成され、制御部１２から供給された映像信号に応じた種々の情報を表示する。表示部１５は、たとえば図３（Ａ）に示す待ち受け画面、図３（Ｂ）に示すオートロック機能作動中の画面、図３（Ｃ）に示すパスワードや音声、指紋等の入力を示唆する認証画面を表示する。
表示部１５が表示する情報には上記の他に、たとえば発信時（着信時）における通話先の電話番号、電子メール等の文字情報、ＷＥＢサイト、静止画像、動画像、日付等の時間情報、電池残量、発信成否等が含まれる。
【００３５】
操作部１６は、図２に示すように、たとえば電源キー１６１、決定キー１６２、数字キー１６３、文字キー１６４、方向キー１６５、通話キー１６６、発信キー１６７等各種機能が割り当てられた複数の（操作）キーを有する。操作部１６は、これらのキーがユーザによって操作された場合、その操作内容に対応する信号を発生し、これをユーザの指示として制御部１２の主制御部１２１に出力する。
また、操作部１６が、オートロックの作動時に、パスワード入力等の認証に必要な所定のキー（たとえば数字キー１６３等）以外が押下されても、解除部１２５によってオートロックが解除されるまで、制限部１２３によってその入力が無効にされる。
【００３６】
タイマ１７は、所定時間（たとえば１分）がセットされると、０秒まで秒単位でダウンカウントするカウンタ、カウント値をリセットするリセット回路等で構成され、主制御部１２１からの制御によって時間のカウントを開始し、カウントが終了するとその旨を主制御部１２１を介して選択部１２２に通知し、カウント値をリセットする。
本実施形態におけるタイマ１７は、ユーザによってカウント時間が好適にセットされ、オートロックを開始するまでの時間および高セキュリティモードに移行するまでの時間をダウンカウントするものとするが、時間をアップカウントしてもよく、タイマ１７の構成等は特に限定されない。
【００３７】
指紋センサ部１８は、指紋の凹凸間の静電容量の違いをスキャンする（読み取る）静電容量方式のセンサ１８１、センサ１８１がスキャンした静電容量の違いを数値化し、指紋の画像データ等を生成する画像生成部１８２で構成されている。
ここで、図４を参照しながら指紋センサ部１８について説明する。図４は、本実施形態に係る指紋センサ部の構成例を示す図であり、図４（ａ）はセンサ１８１を図２のθ方向から見た側面図、図４（ｂ）は同図（ａ）に示すセンサ１８１の拡大図である。
図４（ａ）に示すように、センサ１８１は、携帯電話機１０の筐体表面１１０とわずかな段差Ｈをつけるように配置され、画像生成部１８２に接続されている。このように段差Ｈを好適に設けることで、指（指先）１８３をセンサ１８１の表面に接触しやすくしている。なお、この段差Ｈはなくてもよい。
図４（ｂ）に示すように、センサ１８１は、指１８３の表面（指紋面）を接触させる堅い保護膜１８１１の下に複数の仕切り１８１２で仕切られた電極室１８１３が複数（数万程度）設けられ、各電極室１８１３には電極１８１４が配置されている。
指１８３の表面を保護膜１８１１に接触させると、指紋の凹凸によって指１８３の表面と電極１８１４との距離に差が生じ、この距離が短いほど多くの電荷が電極１８１４に蓄積される。センサ１８１は、この電極１８１４に蓄積された電荷を読み出し、画像生成部１８２に出力する。
画像生成部１８２は、センサ１８１から電極１８１４に蓄積した電荷が入力され、電荷量を数値化して指紋認証が行えるように指紋データを生成し、主制御部１２１を介して指紋認証部１２４３に出力する。
なお、指紋センサ部１８は、たとえば光学方式等でもよく、本実施形態に限定されない。
【００３８】
次に、図５，６を参照しながら携帯電話機１０の動作をオートロック機能を中心に説明する。図５は実施形態に係る携帯電子機器のフローチャートであり、図６は図５の初期設定時におけるフローチャートである。
【００３９】
（ステップＳＴ１）
図５に示すように、ユーザが初期設定を行う。ユーザは、図６に示すようにオートロック機能を有効にするか否かを設定し（ステップＳＴ１１０）、有効であれば（ＹＥＳ）、オートロックを起動するタイミング（アプリケーションが終了し待ち受け画面に切り替わった時、通話終了時など）を設定し（ステップＳＴ１２０）、オートロック作動までの時間を設定し（ステップＳＴ１３０）、オートロック機能の有効時には高セキュリティモードに移行するか否かを設定し（ステップＳＴ１４０）、有効であれば（ＹＥＳ）、高セキュリティモードへの移行条件（設定時間、電子メールの未読数、電話の着信回数等）を選択し（ステップＳＴ１５０）し、高セキュリティモードでの認証方法（８桁のパスワード認証、音声認証、指紋認証）を選択し（ステップＳＴ１６０）、初期設定を終了する。
ユーザがステップＳＴ１１０においてオートロック機能を無効に設定した場合は（ＮＯ）、初期設定を終了し、ステップＳＴ１４０において高セキュリティモードに移行しないように設定した場合は（ＮＯ）、通常のセキュリティモードが設定され（ステップＳＴ１７０）、初期設定を終了する。
これらの初期設定は、操作部１６によって入力され、主制御部１２１を介して記憶部１３に格納される。
【００４０】
以下の説明を簡単にするため、ステップＳＴ１２０においてはオートロックを起動するタイミングをアプリケーションが終了し、図３（Ａ）の待ち受け画面に切り替わった時に設定し、ステップＳＴ１３０においてはオートロック作動までの時間設定をｔ１秒後（たとえば６０秒後）に設定し、ステップＳＴ１５０においては高セキュリティモードへの移行条件を時間設定でｔ２秒後（たとえば１２０秒後）に設定し、ステップＳＴ１６０においては８桁のパスワード認証を選択したものとする。
【００４１】
（ステップＳＴ２）
当ステップにおいて、ユーザが携帯電話機１０の使用を中断したものとする。
主制御部１２１は、たとえば使用中のアプリケーションが終了したタイミングで、記憶部１３に格納されている設定を読み出し、設定に従ってオートロック機能を有効にするか否かを判断し、オートロック機能が有効の場合は（ＹＥＳ）、タイマ１７を作動させ、オートロック機能が無効の場合は（ＮＯ）、処理を終了する。
【００４２】
（ステップＳＴ３）
タイマ１７は、主制御部１２１からの制御によって時間のカウントを開始する。具体的には、タイマ１７は、ｔ１秒から０秒まで秒単位でカウントする。
【００４３】
（ステップＳＴ４）
タイマ１７は、カウントが終了した場合（ＹＥＳ）、その旨を主制御部１２１を介して選択部１２２に通知してからカウント値をリセットし、カウント中の場合（ＮＯ）、カウント値が０秒になるまでカウントする。
【００４４】
（ステップＳＴ５）
選択部１２２は、主制御部１２１がオートロック機能が有効であると判断したため、通常セキュリティモードである４桁のパスワード認証を行うパスワード認証部１２４１を選択する。
【００４５】
（ステップＳＴ６）
制限部１２３は、タイマ１７のカウントが終了し設定時間に達した（ｔ１秒が経過した）ため、キー操作を認証の入力に必要なもの（たとえば決定キー１６２、数字キー１６３、文字キー１６４）のみに制限する。すなわち、制限部１２３は、認証に必要のないキーが押下され、その操作に対応した信号が主制御部１２１に入力されても、その入力を無効にする。
これにより、通常セキュリティレベルのオートロックが作動し、後述の高セキュリティモードに移行するまで（〜ステップＳＴ１１）、または使用者（ユーザ）によって４桁のパスワード認証が行われキー操作の制限が解除されるまで（ステップＳＴ１４，ＳＴ１５）維持される。
オートロックの作動中にキー操作が行われると、キー操作の制限が解除されるまで表示部１５が図３（Ｂ）のようなオートロック作動中の旨を示す表示画面を表示し、通話、電子メール等の諸機能が実行できない。
【００４６】
（ステップＳＴ７）
主制御部１２１は、記憶部１３に格納されている設定を読み出し、設定に従って高セキュリティモードに移行するか否かを判断し、高セキュリティモードに移行する場合は（ＹＥＳ）、タイマ１７を作動させ、高セキュリティモードに移行しない場合は（ＮＯ）、通常セキュリティモードを維持し、ユーザ（使用者）によって４桁のパスワード認証が行われる（ステップＳＴ１４，ＳＴ１５）。
【００４７】
（ステップＳＴ８）
タイマ１７は、再び主制御部１２１からの制御によってｔ２秒から０秒まで秒単位でカウントを開始する。
【００４８】
（ステップＳＴ９）
タイマ１７は、カウントが終了した場合（ＹＥＳ）、その旨を主制御部１２１を介して選択部１２２に通知してからカウント値をリセットし、カウント中の場合（ＮＯ）、カウント値が０秒になるまでカウントする。
なお、図示しないが、ステップＳＴ６〜ＳＴ９間において、使用者（ユーザ）によって４桁のパスワード認証が行われた場合は、ステップＳＴ１４，ＳＴ１５の処理を行う。
【００４９】
（ステップＳＴ１０）
選択部１２２は、主制御部１２１が高セキュリティモードに移行すると判断したため、記憶部１３に格納されている設定値を読み出し、その設定値にしたがって８桁のパスワード認証部１２４１を選択する。
【００５０】
（ステップＳＴ１１）
制限部１２３は、引き続きキー操作を認証の入力に必要なもののみに制限する。
これにより、高セキュリティレベルのオートロック機能が作動し、使用者（ユーザ）によって８桁のパスワード認証が行われキー操作の制限が解除されるまで（ステップＳＴ１２，ＳＴ１３）維持される。
【００５１】
（ステップＳＴ１２）
当ステップにおいて、ユーザ（使用者）がオートロックを解除するものとする。
ユーザによって任意のキーが押下されると、表示部１５は図３（Ｃ）のようなパスワード入力を促す画面を表示し、認証処理部１２４は、高セキュリティモードにおいて、制限部１２３によるキー操作の制限を選択部１２２が選択した認証方法に応じて認証する。
詳細には、パスワード認証部１２４１は、あらかじめ記憶部１３に記憶されている８桁のパスワードと操作部１６によって入力された８桁パスワードが一致するか否かを判断し、判断結果が一致したときのみ、キー操作の制限を解除する解除信号を解除部１２５に出力する。
【００５２】
（ステップＳＴ１３）
解除部１２５は、パスワード認証部１２４１から解除信号を受けると、制限部１２３が行っているキー操作の制限を解除する。これにより、高セキュリティモードにおけるオートロックが解除され、表示部１５は図３（Ａ）に示す待ち受け画面を表示する。
【００５３】
（ステップＳＴ１４）
当ステップにおいて、ユーザ（使用者）がオートロックを解除するものとする。
ユーザによって任意のキーが押下されると、表示部１５は図３（Ｃ）のようなパスワード入力を促す画面を表示し、パスワード認証部１２４１は、あらかじめ記憶部１３に記憶されている４桁のパスワードと操作部１６によって入力された４桁パスワードが一致するか否かを判断し、判断結果が一致したときのみ、キー操作の制限を解除する解除信号を解除部１２５に出力する。
【００５４】
（ステップＳＴ１３）
解除部１２５は、パスワード認証部１２４１から解除信号を受けると、制限部１２３が行っているキー操作の制限を解除する。これにより、通常セキュリティモードにおけるオートロックが解除され、表示部１５は図３（Ａ）に示す待ち受け画面を表示する。
【００５５】
以上、ステップＳＴ１における初期設定を基に携帯電話機１０の動作説明を行った。
次に、ステップＳＴ１の初期設定において、他の方法による高セキュリティモードへの移行および認証方法が初期設定された場合について説明する。
【００５６】
ステップＳＴ１５０において、高セキュリティモードへの移行を電子メールの未読数で判別するように初期設定した場合は、ステップＳＴ８において主制御部１２１が電子メール未読数の判別を開始するようにし、ステップＳＴ９において電子メール未読数が所定数（たとえば３通）以上か否かを判別し、所定数以上であればステップＳＴ１０の処理を行うようにする。
ステップＳＴ１５０において、高セキュリティモードへの移行を電話の着信回数で判別するように初期設定した場合も上記と同様に、ステップＳＴ８において主制御部１２１が電話の着信回数の判別を開始するようにし、ステップＳＴ９において電話の着信回数が所定数（たとえば３回）以上か否かを判別し、所定数以上であればステップＳＴ１０の処理を行うようにする。
【００５７】
ステップＳＴ１６０において、高セキュリティモードでの認証方法を音声認証に初期設定した場合は、ステップＳＴ１０において選択部１２２が音声認証部１２４２を選択し、ステップＳＴ１２において音声認証部１２４２があらかじめ記憶部１３に記憶されているユーザの音声データがマイクロフォン１４２に入力された音声データと一致するか否かを判断し、判断結果が一致したときのみ、キー操作の制限を解除する解除信号を解除部１２５に出力するようにする。
ステップＳＴ１６０において、高セキュリティモードでの認証方法を指紋認証に初期設定した場合も上記と同様に、ステップＳＴ１０において、選択部１２２が指紋認証部１２４３を選択し、ステップＳＴ１２において指紋認証部１２４３が、指紋センサ部１８のセンサ１８１が指紋をスキャンし、画像生成部１８２が生成した指紋の画像データ等を解析し、あらかじめ記憶部１３に記憶されているユーザの指紋データが指紋センサ部１８に入力された指紋データと一致するか否かを判断し、判断結果が一致したときのみ、キー操作の制限を解除する解除信号を解除部１２５に出力するようにする。
【００５８】
上述したように本実施形態によれば、所定時間の経過後に高セキュリティモードへ移行するように設定すれば、通常のオートロック中に携帯電話機の未使用時間がさらに長くなっても、よりセキュリティレベルの高い８桁のパスワード認証、音声認証または指紋認証に切り替わるため、高いセキュリティレベルが確保できる。
電話の着信回数（電子メールの未読数）で高セキュリティモードへ移行するように設定すれば、着信に数回でられない（電子メールを数通読めない）条件で高セキュリティレベルのオートロックが作動するため、紛失や盗難による携帯電話機の不正利用を防止できる。
また、ユーザが高セキュリティモードに移行するか否かを設定できるため、頻繁に携帯電話機を使用する場合は、使い慣れた４桁のパスワード入力でオートロックを解除できる利点がある。
【００５９】
上述の実施形態は、ユーザが複数の場合、ユーザごとに初期設定を行い、ユーザごとに異なる設定で動作させることができる。
たとえば図５のステップＳＴ１０において、選択部１２２が無作為（ランダム）に認証方法を選択するようにしてもよい。
上述の実施形態は、２段階のセキュリティレベルを有するが、３段階以上のセキュリティレベルを設け、段階的にセキュリティレベルが高くなるようにしてもよい。
本実施形態に係る認証方法には、上述の方法の他、網膜、顔型、虹彩、血管、耳型、掌型、まばたきの回数などを用いた認証方法が適用できる。
なお、セキュリティレベルの高低は、一般には、パスワードよりも生体認証の方が高いが、その高低の定義はユーザが決定できるものとする。同様に、互いに異なる生体認証のセキュリティレベルの高低も、ユーザが決定できるものとする。
【００６０】
図１に示す本発明の実施形態に係る携帯電子機器がもつ各構成要素の機能は、すべてをソフトウェアによって実現しても、あるいはその少なくとも一部をハードウェアで実現してもよい。たとえば、図１の制御部１２の各構成要素（主制御部１２１、選択部１２２、制限部１２３，認証処理部１２４、解除部１２５）におけるデータ処理は、１または複数のプログラムによりコンピュータ上で実現しても、ハードウェア上で実現してもよい。
上記の実施形態では、携帯電子機器に携帯電話機を適用させたが、ＰＨＳ（Personal Handy-phone System）や携帯可能なパーソナルコンピュータ（Personal Computer）、携帯可能なモバイル（mobile）機器にも本発明が好適に適用できる。
また、本発明の実施形態は携帯可能な電子機器だけでなく、設置型の電子機器（たとえばデスクトップ型のパーソナルコンピュータ等）にも適用でき、上述した実施形態に拘泥せず、当業者であれば本発明の要旨を変更しない範囲内で様々な改変が可能である。
また、上記の実施形態では、キー操作の入力を無効とするキーロックに適用した例を挙げて説明したが、オートロック以外を認証とする処理、たとえば電話の発信、電子メールの使用、アドレス帳の閲覧、電子マネーの使用等の操作において、操作を制限するロックをかけ、このロックを解除するセキュリティレベルを所定の条件により選択する場合にも適用できる。
【００６１】
以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【図面の簡単な説明】
【００６２】
【図１】実施形態に係る携帯電子機器の内部構成例を示すブロック図である。
【図２】図１の内部構成例による携帯電子機器の外観を示す一例の図である。
【図３】本実施形態に係る表示部の表示例を示す図である。
【図４】本実施形態に係る指紋センサ部の構成例を示す図である。
【図５】実施形態に係る携帯電子機器のフローチャートである。
【図６】図５の初期設定時におけるフローチャートである。
【符号の説明】
【００６３】
１０…携帯電話、１１…通信部、１２…制御部（ＣＰＵ）、１３…記憶部、１４…音声処理部、、１４１…スピーカ（ＳＰ）、１４２…マイクロフォン（ＭＩＣ）、１５…表示部、１６…操作部、１７…タイマ、１８…指紋センサ部、１１０…筐体表面、１８１…センサ、１８２…画像生成部、１８３…指、１８１１…保護膜、１８１３…電極室、１８１４…電極、１２１…主制御部、１２２…選択部、１２３…制限部、１２４…認証処理部、１２４１…パスワード認証部、１２４２…音声認証部、１２４３…指紋認証部、１２５…解除部、Ｈ…段差。
【図１】
0005096117.tif 000002
【図２】
0005096117.tif 000003
【図３】
0005096117.tif 000004
【図４】
0005096117.tif 000005
【図５】
0005096117.tif 000006
【図６】
0005096117.tif 000007